(57)【特許請求の範囲】
【請求項１】
飲料容器のための保持装置であって、飲料容器を挿入するための収容部が設けられている形式のものにおいて、該収容部が凹所（１４）として形成されており、該凹所（１４）が側方へ開放しており、前記保持装置（１０）がコンテナ（２０）を有しており、該コンテナ（２０）が、ガイド（２６）を用いて前記凹所（１４）に可動に取り付けられており、前記コンテナ（２０）が、凹所（１４）を閉鎖する閉鎖位置と、前記凹所（１４）の開放した側を閉鎖しかつ前記凹所（１４）の上側における飲料容器（４４）のための挿入開口（１８）を開放させる保持位置とに移動可能であることを特徴とする、飲料容器のための保持装置。
【請求項２】
前記ガイド（２６）が、コンテナ（２０）のための旋回支承部けを有している、請求項１記載の保持装置。
【請求項３】
前記保持装置（１０）が、係止装置（３４）を有しており、該係止装置が、係止によって前記コンテナ（２０）を複数の保持位置にロックし、前記コンテナ（２０）が、様々な保持位置において、飲料容器（４４）のための挿入開口（１８）を種々異なる大きさで解放させるようになっている、請求項１記載の保持装置。
【請求項４】
前記コンテナ（２０）が、収容部に挿入された飲料容器（４４）のための滴下受け皿（４２）を有している、請求項１記載の保持装置。
【請求項５】
前記コンテナ（２０）が、凹所（１４）に解離可能に取り付けられている、請求項１記載の保持装置。
【請求項６】
前記コンテナ（２０）が灰皿である、請求項１記載の保持装置。
【発明の詳細な説明】
【０００１】
本発明は、請求項１の上位概念部の特徴を備えた、例えば飲料缶、コップ又はカップのような飲料容器のための保持装置に関する。
【０００２】
このような保持装置は、ほとんど見当もつかない程多数の実施形態で自体公知である。本発明の課題は、飲料容器のための保持装置を場所を節約しながら収納可能に構成することである。
【０００３】
この課題は本発明によれば請求項１の特徴によって解決された。本発明による保持装置は、飲料容器を挿入するための収容部を有しており、この収容部は、例えば自動車のダッシュボード、中央コンソール又はドアライニング、又はバス、飛行機、映画館等の椅子の後部背もたれ又はこのような椅子の肘掛けに凹所として形成されている。凹所は一方の側へ開放している。ガイドを用いて、例えば灰皿、ポケット、メガネコンテナのようなコンテナが凹所に可動に取り付けられている。コンテナは閉鎖位置と保持位置とに移動することができる。閉鎖位置においては、コンテナは飲料容器を挿入するための凹所を閉鎖する。保持位置においては、コンテナは収容部を開放側において閉鎖し、凹所の上側における挿入開口を解放させ、これにより、飲料容器は、収容部を形成した凹所に挿入可能である。この場合、挿入された飲料容器が、周面において、凹所とコンテナとによって完全に取り囲まれている必要はなく、凹所とコンテナとが飲料容器を周面の個々の位置において、飲料容器が落下することができないように取り囲んでいれば十分である。
【０００４】
本発明は、保持装置が例えばダッシュボード、中央コンソール又はドアライニングに場所を節約しながら収納可能であるという利点を有する。特に例えばいずれにしても設けられている灰皿によって占有された空間は、付加的に、本発明による飲料容器用の保持装置のためにも使用することができるので、本発明による保持装置は付加的な空間を占有することがない。本発明のさらに別の利点は、例えば唯一の可動な部分、すなわちコンテナを備えた本発明による保持装置の可能な容易な構成であり、前記コンテナには、場合によっては付加的に第２の可動な部分としてカバーが取り付けられていることができる。付加的な利点は、この部材が灰皿の形態でいずれにしても設けられているので、付加的な製造コスト及び取付けコストが生じないということである。
【０００５】
コンテナ用のガイドの簡単な形式は、本発明の実施形態の場合、コンテナ用の旋回支承部を備えた旋回ガイドとして構成することによって提供される。
【０００６】
本発明のさらに別の構成の場合、保持装置は、コンテナのための複数の係止箇所を備えた係止装置を有している。この場合、１つの係止位置は、コンテナを閉鎖位置において保持し、別の係止箇所は、コンテナを複数の保持箇所において保持し、これらの保持箇所においては、コンテナが、飲料容器を挿入するための収容部を構成した凹所から種々異なる距離だけ移動させられている。この形式では、飲料容器のための挿入開口は種々異なる大きさを有するので、種々異なる直径を有する飲料容器が転倒しないように保持される。本発明による係止装置は、種々異なる飲料容器に保持装置の直径が簡単に適応することができるという利点を有する。
【０００７】
本発明の構成の場合、保持装置に挿入された飲料容器から流出する流体を捕捉するための滴下受け皿が設けられている。滴下受け皿はコンテナに取り付けられていると有利である。
【０００８】
有利な構成では、コンテナは、飲料容器のための収容部を形成した凹所に解離可能に取り付けられている。これにより、滴下受け皿は空にされかつ洗浄されることができ、同様にコンテナは自動的に空にされることができ、このことは、コンテナが例えば灰皿である場合に必要である。
【０００９】
本発明の構成の場合、コンテナは灰皿を形成している。
【００１０】
本発明を以下に、図面に示された２つの実施例に関連してさらに詳しく説明する。
【００１１】
図１から図３までは、種々異なる位置における本発明による保持装置を、様々な方向から見た斜視図で示しており；
図４は、図１から図３までに示した保持装置を中央断面図で示しており
図５は、図４に示した保持装置を保持位置で示しており、
図６及び図７は、２つの異なる保持位置における本発明による保持装置の変化実施例を中央断面図で示している。
【００１２】
図１から図３までには示されていない飲料容器のための、図１から３までに示された本発明による保持装置１０は、例えばその他の部分は図示されていない自動車のダッシュボード１２に収容されている。ダッシュボード１２のうち、図面には保持装置１０を取り囲んだ一部が示されている。保持装置１０は、飲料容器を挿入するための収容部１４を有しており、この場合、凹所１４は、ダッシュボード１２の、上面図でＵ字形の凹所１４として形成されている。凹所１４は、上側において開放しており、凹所１４の開放した上側は、保持装置１０に飲料容器を挿入するための挿入開口１８を形成している。さらに、収容部１４を形成した凹所１４は、一方の側へ開放している。ダッシュボード１２ではなく、本発明による保持装置１０は例えば中央コンソール、ドアライニング又は肘掛けに収容されることができる。
【００１３】
ガイドを用いて、コンテナ２０が、飲料容器を挿入するための収容部を形成した凹所１４に可動に取り付けられている。コンテナ２０は、図示した実施例の場合、上側にフラップカバー２２を備えた灰皿である。灰皿２０は、図３に示した閉鎖位置から、図１及び図２に示した保持位置へ可動であり、またその逆方向に可動である。閉鎖位置において、灰皿２０は、開放した側において凹所１４を閉鎖しかつ凹所１４の上側において挿入開口１８を閉鎖する。閉鎖位置において、灰皿２０は、隣接するダッシュボード１２の表面と同一平面を成すように凹所１４を閉鎖する。
【００１４】
図１及び図２に示した保持装置においては、灰皿２０はダッシュボード１２から側方へ突出させられ、これにより凹所１４の挿入開口１８を開放させる。同時に、灰皿２０は、凹所１４の開放した側を、挿入された飲料容器が落下及び転倒しないように凹所１４に保持されるように、閉鎖する。このために、灰皿２０は、凹所１４に面した側に凹状の壁部２４を有している。フラップカバー２２は灰皿２０のあらゆる位置において開放可能であるので、灰皿２０は閉鎖位置においても保持位置においても使用可能である。
【００１５】
本発明による保持装置１０の灰皿２０のガイドは、旋回ガイドとして形成されており、この旋回ガイドは旋回支承部２６を有している（図４）。旋回支承部２６は、灰皿２０と、ダッシュボード１２に設けられた凹所１４との下方に配置されている。灰皿２０は、下方へ突出しかつ側部に配置された２つのアーム２８を有しており、これらのアーム２８には、これらのアームの下端部に支承穴が設けられており、これらの支承穴を用いてアームは支承ピン３０に旋回可能に取り付けられている。支承ピン３０は、凹所１４の下方においてダッシュボード１２の２つの側部のブラケット３２に設けられており、この場合、ブラケット３２は、ダッシュボード１２の内側から内方へ突出している。旋回支承部２６によって、灰皿２０は、灰皿２０の下方における仮想水平軸線を中心に旋回可能である。
【００１６】
灰皿２０のアーム２０を弾性的に互いに押圧することによって、アーム２８は旋回ピンから解離させられ、灰皿２０は保持装置１０から解放され、灰皿を例えば空にすることができる。旋回支承部２６の領域において係止装置３４が形成されており、この係止装置は灰皿２０を閉鎖位置又は保持位置に保持する。係止装置３４を形成するために、保持アーム２８の端部３３が円形にかつ旋回ピン３０に対して同心的に形成されている。端部３３の円周には窪み状の２つの切欠３６が設けられており、これらの切欠は、ダッシュボード１２のブラケット３２に取り付けられている板ばね３８と協働する。板ばね３８の自由端部はフック状に湾曲させられており、この場合“フック”の突出した側が、両切欠３６の内の一方に弾性的に嵌合している。この場合、フック４０は、灰皿２０の閉鎖位置において両切欠３６の内の一方に嵌合し（図４）、保持位置において別の切欠３６に嵌合し（図５）、これにより、係止しながら灰皿２０をそれぞれの位置において保持する。灰皿２０を押圧する又は引っ張ることによって、板ばね３８のフック４０は、灰皿２０のアーム２８の切欠３６から押し出され、これにより灰皿２０は旋回することができる。
【００１７】
凹所１４に面した凹状の壁部２４において、灰皿２０は滴下受け皿４２を有しており、この滴下受け皿４２は、灰皿２０の保持位置において水平に配置され、下側において凹所１４を閉鎖する（図５）。滴下受け皿４２は、図５に一点鎖線で示された飲料容器（コップ）４４を載置させるために働き、飲料容器４４は、本発明による保持装置１０の、収容部を形成した凹所１４に挿入されている。滴下受け皿４２は、走行中にコップ４４から流出する流体を捕捉するために働く。
【００１８】
図６及び図７は、図１から図５に示しかつ前に説明した本発明による保持装置１０の変化実施例を示している。この場合、灰皿２０は滴下受け皿を有していない。さらに、係止装置３４は付加的な、図７に示された係止位置を有している。付加的な係止位置を構成するために、灰皿２０のアーム２８の端部３３には、付加的な切欠３６が設けられている。灰皿２０が、図６に示した保持位置から、閉鎖位置に向かって内方へ僅かに旋回させられると、前記切欠３６に板ばね３８のフック４０が噛み合う。付加的な係止位置において、灰皿２０は別の保持位置を占め、この別の保持位置は、図６とは異なり、内方へ旋回させられ、飲料容器のための収容部を形成した、ダッシュボード１２の凹所１４の挿入開口１８を小さくする。このように、より小さな直径を有する飲料容器４が、本発明による保持装置１０の収容部に確実に保持される。前記相違点を除いて、図６及び図７に示された保持装置１０は、図１から図５までに示された保持装置１０と同様に形成されておりかつ同様の形式で機能する。繰返しを回避するために、図６及び図７に関しては図１から図５までの実施例が参照される。同じ構成部材に対しては同じ参照符号が用いられている。
【図面の簡単な説明】
【図１】  保持位置における本発明による保持装置を斜視図で示している。
【図２】  保持位置における本発明による保持装置を斜視図で示している。
【図３】  閉鎖位置における本発明による保持装置を斜視図で示している。
【図４】  図１から図３までに示した保持装置を中央断面図で示している。
【図５】  図４に示した保持装置を保持位置で示している。
【図６】  １つの保持位置における本発明による保持装置の変化実施例を中央断面図で示している。
【図７】  図６の場合とは別の保持位置における本発明による保持装置の変化実施例を中横断面図で示している。
【符号の説明】
１０  保持装置、  １２  ダッシュボード、  １４  凹所、  １８  挿入開口、  ２０  コンテナ、  ２２  フラップカバー、  ２４  壁部、  ２６  旋回支承部、  ２８  アーム、  ３０  支承ピン、  ３２  ブラケット、  ３３  端部、  ３４  係止装置、  ３６  切欠、  ３８  板ばね、  ４０  フック、  ４２  滴下受け皿、  ４４  飲料容器
【図１】
0003899268.tif 000002
【図２】
0003899268.tif 000003
【図３】
0003899268.tif 000004
【図４】
0003899268.tif 000005
【図５】
0003899268.tif 000006
【図６】
0003899268.tif 000007
【図７】
0003899268.tif 000008